(57)【要約】【課題】本発明は便利な自動加熱コップを開示した。【解決手段】携帯しやすい加熱座と、前記加熱座と係合接続され、蓋の取替ができる加熱蓋とを含み、前記加熱座の左端面に上下方向に右へ延伸する第一滑り溝と受電滑り溝とが設置され、前記第一滑り溝と受電滑り溝の間に歯車沈み溝が連通設置され、前記歯車沈み溝の中に回転軸を通じて運輸歯車が回転で設置され、本発明の加熱蓋のロックが安全で丈夫であり、且つ加熱蓋が電気を連通する時安全安定であり、装置全体がシンプルで便利であり、コストが安く、使用が便利し、ユーザーが外に出る時加熱座と加熱蓋だけ持てばコップの中の水をいつでもどこでも加熱することができる。【選択図】図3
2019098191.tif 000002
【特許請求の範囲】
【請求項１】
携帯しやすい加熱座と、前記加熱座と係合接続され、蓋の取替ができる加熱蓋とを含み、前記加熱座の左端面に上下方向に右へ延伸する第一滑り溝と受電滑り溝とが設置され、前記第一滑り溝と受電滑り溝の間に歯車沈み溝が連通設置され、前記歯車沈み溝の中に回転軸を通じて運輸歯車が回転で設置され、前記加熱座の中に第二滑り溝が設置され、前記第二滑り溝の底部左端には前記第一滑り溝と連通する左溝が設置され、前記第二滑り溝の底部右端には下へ延伸する且つ前記第一滑り溝及び受電滑り溝と連通する右溝が設置され、前記第二滑り溝のの頂端壁の中にロック装置が設置され、前記右溝の右端壁にリミット溝が設置され、前記受電滑り溝の中には左右でスライドできる且つ前記運輸歯車の底端と噛合接続される第一滑りブロックが設置され、前記第一滑りブロックの左右両端面に左給電端と右給電端が対称で設置され、前記第二滑り溝の中に上下でスライドできる第二滑りブロックが設置され、前記第二滑りブロックの底端面の左側に前記左溝とスライドし係合接続される第一ロック固定ブロックが設置され、前記第二滑りブロックの底端面の右側に前記右溝とスライドし係合接続される右移動ブロックが設置され、前記右移動ブロックの左端面の底部に前記右給電端と当接する第一受電部が設置され、前記右移動ブロックの右端面の中心に前記リミット溝とスライドし係合接続されるリミットブロックが設置され、前記リミットブロックの底端面に第二受電部が設置され、前記リミット溝の中には前記リミットブロックの頂端面と固定接続される且つ前記リミットブロックを下へ押すスプリング部品が設置され、前記リミット溝の底端壁に総給電端が設置され、前記第二滑りブロックの頂端面の中心にバックルが設置され、前記加熱蓋の右端面の上部に前記第一滑り溝と係合接続される第二ロック固定ブロックが設置され、前記第二ロック固定ブロックの頂端面の右側にロック固定溝が設置され、前記加熱蓋の右端面の下部に前記左給電端と当接する第三受電部が設置され、前記加熱蓋の外壁に二つの引掛り弾みヘッドが上下対称で設置され、前記加熱蓋の右側に脱着可能な右透明保護蓋が係合設置され、前記右透明保護蓋の内側壁の底部に二つの固定斜めスロットが上下対称で設置され、前記固定斜めスロットが前記引掛り弾みヘッドと引掛り固定され、前記加熱蓋の底部にコップ本体がねじ山で係合締付設置され、前記加熱蓋の内底面に固定円形ブロックが固定設置され、前記固定円形ブロックの底端に熱伝導パイプが固定設置され、前記熱伝導パイプが下へ伸びて前記加熱蓋から伸び出て前記コップ本体に挿入し、前記熱伝導パイプの中に加熱管が設置され、前記固定円形ブロックの底面に下透明保護蓋がねじ山で係合締付設置され、前記右移動ブロックの中にロック制御装置が設置され、前記ロック装置が収納筐体を含み、前記収納筐体の中に運輸軸を通じて線筒が回転で設置され、前記運輸軸の左端が前記収納筐体の左端壁の中に設置される電機と動力で接続され、前記運輸軸の右端が前記収納筐体の右端壁と回転で係合接続され、前記線筒が前記運輸軸と固定接続され、前記線筒に入紐が捲着され、前記入紐の一端が前記線筒と固定接続され、ほかの一端が前記バックルと固定接続され、前記収納筐体のうち前記線筒の下方の右側にリミット柱が設置され、前記リミット柱の前後両端がそれぞれ前記収納筐体の前後両端壁と固定接続され、前記第二ロック固定ブロックの底端面と前記第一滑りブロックの頂端面に前記運輸歯車に噛み合わせる歯棹がそれぞれ設置され、前記第二ロック固定ブロック及び前記第一滑りブロックと噛合できるように、前記運輸歯車の上下両端がいずれも前記歯車沈み溝の外に伸び出て、前記回転軸の前後両端がそれぞれ前記歯車沈み溝の前後両端壁と回転で係合接続され、前記運輸歯車が前記回転軸と固定接続され、前記左給電端が前記右給電端と電気接続され、前記第一受電部が前記第二受電部と電気接続され、前記総給電端が電池と電気接続され、前記第三受電部が前記加熱蓋の中の加熱管と電気接続され、前記第一滑り溝の左端にガイドポートが設置され、前記第一ロック固定ブロックの底端面にガイド平面が設置され、前記ロック制御装置が前記右移動ブロックの上頂壁に固定内設される上接触検出部品と、前記右移動ブロックの下底壁に固定内設される下接触検出部品とを含み、前記上接触検出部品と下接触検出部品がいずれも前記電機と電気接続されることを特徴とする便利な自動加熱コップ。
【発明の詳細な説明】
【技術分野】
【０００１】
本発明はコップ技術分野に関し、具体的には便利な自動加熱コップに関する。
【背景技術】
【０００２】
コップは水の容器として、一般的にほかの機能を持たないが、実際の生活中に多くの問題がありコップの自動加熱機能が必要となり、例えば、野外でキャンプあるいはハイキングする人が水源を見つけたがコップの加熱機能がないから生水しか飲めない。しかし生水の中に微生物や細菌があり、人体の健康に良くない。例えば、高齢者、子供及び女性ユーザーが一年四季に温かい水を飲む傾向があり、保温・保冷コップの中の水が熱すぎではないと寒すぎであり、普通のコップが冷やした水を自動加熱することができない。従って、加熱できるコップが必要となり現存の問題を解決する。
【先行技術文献】
【特許文献】
【０００３】
【特許文献１】中国特許出願公開第106419387号明細書
【発明の概要】
【発明が解決しようとする課題】
【０００４】
本発明は解決する必要な技術問題が便利な自動加熱コップを提供し、それは上記の現在の技術中の問題を解決できる。
【課題を解決するための手段】
【０００５】
上記の課題を解決するため、本発明は以下の技術プランを採用する。
【０００６】
本発明による便利な自動加熱コップは、携帯しやすい加熱座と、前記加熱座と係合接続され、蓋の取替ができる加熱蓋とを含み、前記加熱座の左端面に上下方向に右へ延伸する第一滑り溝と受電滑り溝とが設置され、前記第一滑り溝と受電滑り溝の間に歯車沈み溝が連通設置され、前記歯車沈み溝の中に回転軸を通じて運輸歯車が回転で設置され、前記加熱座の中に第二滑り溝が設置され、前記第二滑り溝の底部左端には前記第一滑り溝と連通する左溝が設置され、前記第二滑り溝の底部右端には下へ延伸する且つ前記第一滑り溝及び受電滑り溝と連通する右溝が設置され、前記第二滑り溝のの頂端壁の中にロック装置が設置され、前記右溝の右端壁にリミット溝が設置され、前記受電滑り溝の中には左右でスライドできる且つ前記運輸歯車の底端と噛合接続される第一滑りブロックが設置され、前記第一滑りブロックの左右両端面に左給電端と右給電端が対称で設置され、前記第二滑り溝の中に上下でスライドできる第二滑りブロックが設置され、前記第二滑りブロックの底端面の左側に前記左溝とスライドし係合接続される第一ロック固定ブロックが設置され、前記第二滑りブロックの底端面の右側に前記右溝とスライドし係合接続される右移動ブロックが設置され、前記右移動ブロックの左端面の底部に前記右給電端と当接する第一受電部が設置され、前記右移動ブロックの右端面の中心に前記リミット溝とスライドし係合接続されるリミットブロックが設置され、前記リミットブロックの底端面に第二受電部が設置され、前記リミット溝の中には前記リミットブロックの頂端面と固定接続される且つ前記リミットブロックを下へ押すスプリング部品が設置され、前記リミット溝の底端壁に総給電端が設置され、前記第二滑りブロックの頂端面の中心にバックルが設置され、前記加熱蓋の右端面の上部に前記第一滑り溝と係合接続される第二ロック固定ブロックが設置され、前記第二ロック固定ブロックの頂端面の右側にロック固定溝が設置され、前記加熱蓋の右端面の下部に前記左給電端と当接する第三受電部が設置され、前記加熱蓋の外壁に二つの引掛り弾みヘッドが上下対称で設置され、前記加熱蓋の右側に脱着可能な右透明保護蓋が係合設置され、前記右透明保護蓋の内側壁の底部に二つの固定斜めスロットが上下対称で設置され、前記固定斜めスロットが前記引掛り弾みヘッドと引掛り固定され、前記加熱蓋の底部にコップ本体がねじ山で係合締付設置され、前記加熱蓋の内底面に固定円形ブロックが固定設置され、前記固定円形ブロックの底端に熱伝導パイプが固定設置され、前記熱伝導パイプが下へ伸びて前記加熱蓋から伸び出て前記コップ本体に挿入し、前記熱伝導パイプの中に加熱管が設置され、前記固定円形ブロックの底面に下透明保護蓋がねじ山で係合締付設置され、前記右移動ブロックの中にロック制御装置が設置される。
【０００７】
優選の技術プランとして、前記ロック装置が収納筐体を含み、前記収納筐体の中に運輸軸を通じて線筒が回転で設置され、前記運輸軸の左端が前記収納筐体の左端壁の中に設置される電機と動力で接続され、前記運輸軸の右端が前記収納筐体の右端壁と回転で係合接続され、前記線筒が前記運輸軸と固定接続され、前記線筒に入紐が捲着され、前記入紐の一端が前記線筒と固定接続され、ほかの一端が前記バックルと固定接続され、前記収納筐体のうち前記線筒の下方の右側にリミット柱が設置され、前記リミット柱の前後両端がそれぞれ前記収納筐体の前後両端壁と固定接続される。
【０００８】
優選の技術プランとして、前記第二ロック固定ブロックの底端面と前記第一滑りブロックの頂端面に前記運輸歯車に噛み合わせる歯棹がそれぞれ設置され、前記第二ロック固定ブロック及び前記第一滑りブロックと噛合できるように、前記運輸歯車の上下両端がいずれも前記歯車沈み溝の外に伸び出て、前記回転軸の前後両端がそれぞれ前記歯車沈み溝の前後両端壁と回転で係合接続され、前記運輸歯車が前記回転軸と固定接続される。
【０００９】
優選の技術プランとして、前記左給電端が前記右給電端と電気接続され、前記第一受電部が前記第二受電部と電気接続され、前記総給電端が電池と電気接続され、前記第三受電部が前記加熱蓋の中の加熱管と電気接続される。
【００１０】
優選の技術プランとして、前記第一滑り溝の左端にガイドポートが設置され、前記第一ロック固定ブロックの底端面にガイド平面が設置される。
【００１１】
優選の技術プランとして、前記ロック制御装置が前記右移動ブロックの上頂壁に固定内設される上接触検出部品と、前記右移動ブロックの下底壁に固定内設される下接触検出部品とを含み、前記上接触検出部品と下接触検出部品がいずれも前記電機と電気接続される。
【発明の効果】
【００１２】
本発明の有益な効果は：
【００１３】
1. 第二ロック固定ブロックを第一滑り溝の中に挿入させ、それから第二ロック固定ブロックが運輸歯車の頂端と当接し噛み合い、これにより第二ロック固定ブロックを通じて運輸歯車を回転駆動させ、第一滑りブロックを左へスライド駆動させ、加熱蓋の右端面が加熱座の左端面と当接すると、第二ロック固定ブロックがちょうど第一滑り溝と係合接続され、この時、ロック固定溝が左溝と相対し、左給電端が第三受電部と当接し、第一滑りブロックの右端面が右溝の左端壁と同じ水平面にあり、それから電機を制御して回転させ、電機が回転して線筒を回転駆動させてセッティングアウト作業を行い、第二滑りブロック、第一ロック固定ブロックと右移動ブロックが自身重力及びスプリング部品の弾性力の作用のもとで下へスライドし、リミットブロックが下へスライドしてリミット溝の最底端位置まで到着すると、第一ロック固定ブロックがロック固定溝の中に挿入し係合接続され、これにより第二ロック固定ブロックを第一滑り溝の中にロックし固定させ、右移動ブロックが受電滑り溝の中に挿入して受電滑り溝の底端壁と当接し、これにより右給電端が前記第一受電部と当接し、第二受電部が総給電端と当接し通電し、これにより左給電端が通電し、この時加熱蓋が通電状態とロック固定状態にあり、これにより加熱蓋の取付け効率を高め、加熱蓋をしっかりロックさせ、加熱蓋の電気接続を安全で安定にできる。
【００１４】
2. 電機を制御して反転させ、これにより線筒を回転させて紐の回収作業を行い、これにより入紐を通じて第二滑りブロックを上へ引き動かせ、第一ロック固定ブロックと右移動ブロックが第二滑りブロックの上昇とともに上へスライドし、これにより右移動ブロックがスプリング部品の弾性力を克服して右溝の中に引っ込み、第一ロック固定ブロックが上へスライドしてロック固定溝との係合接続から離脱し、第二受電部も総給電端との当接から離脱して停電となり、第二滑りブロックが上にスライドし第二滑り溝の最頂端位置に到着すると、第一滑り溝の中からロック固定ブロックを抜けけば加熱蓋の取り外しができ、これにより加熱蓋の取り外し効率を高め、加熱蓋が便利に取り外し交換できる。
【００１５】
3. 下透明保護蓋と右透明保護蓋が加熱蓋に保護機能があり、本発明の加熱蓋が安全で丈夫であり、且つ加熱蓋が電気を連通する時安全安定であり、取付ける時、加熱蓋をロック固定すると同時に通電させ、取り外す時、加熱蓋を停電すると同時にロックを解かせ、装置全体がシンプルで便利であり、電機を通じて動力を提供することで実現でき、投入するコストが削減し、使用が便利し、ユーザーが外に出る時加熱座と加熱蓋だけ持てばコップの中の水をいつでもどこでも加熱することができる。
【図面の簡単な説明】
【００１６】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１７】
【図１】図1は本発明の便利な自動加熱コップの内部全体構造の概略図である。
【図２】図2は本発明において加熱蓋がロック固定と通電状態にある時の構造概略図である。
【図３】図3は本発明の便利な自動加熱コップの加熱蓋の外部全体構造の概略図である。
【発明を実施するための形態】
【００１８】
下記に附図を交え本発明の好ましい実施例を詳しく説明し、本発明の長所と特徴を本分野の技術者にもっとやすく理解させ、これにより本発明の保護範囲にもっと明確な画定を行う。
【００１９】
図1~3が示すように、本発明による便利な自動加熱コップは、携帯しやすい加熱座2と、前記加熱座2と係合接続され、蓋の取替ができる加熱蓋1とを含み、前記加熱座2の左端面に上下方向に右へ延伸する第一滑り溝20と受電滑り溝3とが設置され、前記第一滑り溝20と受電滑り溝3の間に歯車沈み溝22が連通設置され、前記歯車沈み溝22の中に回転軸24を通じて運輸歯車23が回転で設置され、前記加熱座2の中に第二滑り溝4が設置され、前記第二滑り溝4の底部左端には前記第一滑り溝20と連通する左溝41が設置され、前記第二滑り溝4の底部右端には下へ延伸する且つ前記第一滑り溝20及び受電滑り溝3と連通する右溝42が設置され、前記第二滑り溝4のの頂端壁の中にロック装置が設置され、前記右溝42の右端壁にリミット溝48が設置され、前記受電滑り溝3の中には左右でスライドできる且つ前記運輸歯車23の底端と噛合接続される第一滑りブロック30が設置され、前記第一滑りブロック30の左右両端面に左給電端31と右給電端32が対称で設置され、前記第二滑り溝4の中に上下でスライドできる第二滑りブロック44が設置され、前記第二滑りブロック44の底端面の左側に前記左溝41とスライドし係合接続される第一ロック固定ブロック43が設置され、前記第二滑りブロック44の底端面の右側に前記右溝42とスライドし係合接続される右移動ブロック45が設置され、前記右移動ブロック45の左端面の底部に前記右給電端32と当接する第一受電部33が設置され、前記右移動ブロック45の右端面の中心に前記リミット溝48とスライドし係合接続されるリミットブロック46が設置され、前記リミットブロック46の底端面に第二受電部34が設置され、前記リミット溝48の中には前記リミットブロック46の頂端面と固定接続される且つ前記リミットブロック46を下へ押すスプリング部品47が設置され、前記リミット溝48の底端壁に総給電端35が設置され、前記第二滑りブロック44の頂端面の中心にバックル65が設置され、前記加熱蓋1の右端面の上部に前記第一滑り溝20と係合接続される第二ロック固定ブロック10が設置され、前記第二ロック固定ブロック10の頂端面の右側にロック固定溝11が設置され、前記加熱蓋1の右端面の下部に前記左給電端31と当接する第三受電部12が設置され、前記加熱蓋1の外壁に二つの引掛り弾みヘッド101が上下対称で設置され、前記加熱蓋1の右側に脱着可能な右透明保護蓋102が係合設置され、前記右透明保護蓋102の内側壁の底部に二つの固定斜めスロット103が上下対称で設置され、前記固定斜めスロット103が前記引掛り弾みヘッド101と引掛り固定され、前記加熱蓋1の底部にコップ本体7がねじ山で係合締付設置され、前記加熱蓋1の内底面に固定円形ブロック104が固定設置され、前記固定円形ブロック104の底端に熱伝導パイプ105が固定設置され、前記熱伝導パイプ105が下へ伸びて前記加熱蓋1から伸び出て前記コップ本体7に挿入し、前記熱伝導パイプ105の中に加熱管106が設置され、前記固定円形ブロック104の底面に下透明保護蓋107がねじ山で係合締付設置され、前記右移動ブロック45の中にロック制御装置が設置される。
【００２０】
その中に、前記ロック装置が収納筐体6を含み、前記収納筐体6の中に運輸軸60を通じて線筒61が回転で設置され、前記運輸軸60の左端が前記収納筐体6の左端壁の中に設置される電機62と動力で接続され、前記運輸軸60の右端が前記収納筐体6の右端壁と回転で係合接続され、前記線筒61が前記運輸軸60と固定接続され、前記線筒61に入紐63が捲着され、前記入紐63の一端が前記線筒61と固定接続され、ほかの一端が前記バックル65と固定接続され、前記収納筐体6のうち前記線筒61の下方の右側にリミット柱64が設置され、前記リミット柱64の前後両端がそれぞれ前記収納筐体6の前後両端壁と固定接続される。
【００２１】
その中に、前記第二ロック固定ブロック10の底端面と前記第一滑りブロック30の頂端面にそれぞれ前記運輸歯車23と噛み合う歯棹が設置され、前記第二ロック固定ブロック10及び前記第一滑りブロック30と噛合できるように、前記運輸歯車23の上下両端がいずれも前記歯車沈み溝22の外に伸び出て、前記回転軸24の前後両端がそれぞれ前記歯車沈み溝22の前後両端壁と回転で係合接続され、前記運輸歯車23が前記回転軸24と固定接続される。
【００２２】
その中に、前記左給電端31が前記右給電端32と電気接続され、前記第一受電部33が前記第二受電部34と電気接続され、前記総給電端35が電池と電気接続され、前記第三受電部12が前記加熱蓋1の中の加熱管106と電気接続される。
【００２３】
その中に、前記第一滑り溝20の左端にガイドポート21が設置され、前記ガイドポート21を通じて前記第二ロック固定ブロック10が便利で快速に前記第一滑り溝20の中に挿入し係合接続され、前記第一ロック固定ブロック43の底端面にガイド平面49が設置され、前記ガイド平面49を通じて前記第一ロック固定ブロック43が便利で快速に前記ロック固定溝11の中に挿入し係合接続される。
【００２４】
その中に、前記ロック制御装置が前記右移動ブロック45の上頂壁に固定内設される上接触検出部品451と、前記右移動ブロック45の下底壁に固定内設される下接触検出部品452とを含み、前記上接触検出部品451と下接触検出部品452がいずれも前記電機62と電気接続され、前記右移動ブロック45が上に移動して前記第二滑り溝4の上頂壁に当たるあるいは前記右移動ブロック45が下に移動して前記受電滑り溝3の下底壁に当たると、前記上接触検出部品451と下接触検出部品452がいずれも前記電機62を制御して作動を停止させる。
【００２５】
初期位置状態に、前記加熱蓋1の中の前記固定円形ブロック104の底面に下透明保護蓋107がねじ山で係合締付設置され、前記加熱蓋1の右側が前記引掛り弾みヘッド101を通じて前記右透明保護蓋102と固定され、前記電機62が作動停止の状態にあり、前記入紐63が前記線筒61に捲着され、前記第二滑りブロック44が前記第二滑り溝4の最頂端に位置し、前記第一ロック固定ブロック43が前記左溝41の中に引っ込み、前記右移動ブロック45が前記右溝42の中に引っ込み、前記スプリング部品47が圧縮状態にあり、前記第二受電部34と前記総給電端35が相対状態にあり、前記第一滑りブロック30の頂部左端が前記運輸歯車23と噛み合い、この時前記左給電端31が停電状態にある。
【００２６】
コップの水を加熱する時、下透明保護蓋107と右透明保護蓋102を加熱蓋1から取り外し、加熱蓋1をコップ本体7の頂部に取付け、前記第二ロック固定ブロック10を前記第一滑り溝20に合わせ、それから前記加熱蓋1を右へ押し動かし、それによって前記第二ロック固定ブロック10を前記第一滑り溝20の中に挿入させ、この後前記第二ロック固定ブロック10が前記運輸歯車23の頂端と当接し噛み合い、これにより前記第二ロック固定ブロック10を通じて前記運輸歯車23を回転駆動させ、前記運輸歯車23が回転して前記第一滑りブロック30を左へスライド駆動させ、前記加熱蓋1の右端面が前記加熱座2の左端面と当接すると、前記第二ロック固定ブロック10がちょうど前記第一滑り溝20と係合接続され、この時、前記運輸歯車23の上下両端がそれぞれ前記第二ロック固定ブロック10の底端面中央と第一滑りブロック30の頂端面中央と噛み合い、前記ロック固定溝11が前記左溝41と相対し、前記左給電端31が前記第三受電部12と当接し、前記第一滑りブロック30の右端面が前記右溝42の左端壁と同じ水平面にあり、それから前記電機62を制御して回転させ、前記電機62が回転して前記線筒61を回転駆動させてセッティングアウト作業を行い、前記第二滑りブロック44、第一ロック固定ブロック43と右移動ブロック45が自身重力及び前記スプリング部品47の弾性力の作用のもとで下へスライドし、前記リミットブロック46が下へスライドして前記リミット溝48の最底端位置に到着する時、前記電機62を制御して作動を停止させ、この時、前記第一ロック固定ブロック43が前記ロック固定溝11の中に挿入し係合接続され、これにより前記第二ロック固定ブロック10を前記第一滑り溝20の中にロックし固定させ、前記右移動ブロック45が前記受電滑り溝3の中に挿入して前記受電滑り溝3の底端壁と当接し、これにより前記右給電端32が前記第一受電部33と当接し、前記第二受電部34が前記総給電端35と当接して通電し、これにより前記左給電端31に電気が通じ、この時前記加熱蓋1が通電状態とロック固定状態にあり、加熱管106が通電して加熱作業を始める。  
【００２７】
加熱が完成したら、まず前記電機62を制御して反転させ、これにより前記線筒61を回転させて紐の回収作業を行い、これにより入紐63を通じて前記第二滑りブロック44を上へ引き動かし、前記第一ロック固定ブロック43と右移動ブロック45が前記第二滑りブロック44の上昇とともに上へスライドし、これにより前記右移動ブロック45が前記スプリング部品47の弾性力を克服して前記右溝42の中に引っ込み、前記第一ロック固定ブロック43が上へスライドして前記ロック固定溝11との係合接続から離脱し、前記第二受電部34も前記総給電端35の当接から離脱して停電し、前記第二滑りブロック44が上へスライドして前記第二滑り溝4の最頂端位置に到着する時、前記電機62を制御して作動を停止させ、それから前記第一滑り溝20の中から前記ロック固定ブロック10を抜けけば加熱蓋1の取り外しができ、それからコップ本体7を加熱蓋1の中から取り外して普通のカバーに取り替え、下透明保護蓋107と右透明保護蓋102を加熱蓋に取付けて保護を行い、この時、前記第一滑りブロック30が右へスライドし、これにより本装置を初期状態に戻す。
【００２８】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【図１】
2019098191.tif 000003
【図２】
2019098191.tif 000004
【図３】
2019098191.tif 000005